(57)【要約】【課題】耐熱性があり、透明な物性からなる芳香剤容器に充填するゲル状芳香剤組成物を得ることを課題とする。【構成】ゲル状組成物に、ジェランガムからなるゲル化剤と、カルシウムからなる架橋剤と、３−メチル−３−メトキシ−１−ブタノール（ＭＭＢ）と、を添加する。更に前記ジェランガムの配合量が０．２％〜２．０％の範囲内であると良い。更に前記カルシウムが乳酸カルシウムからなり、前記乳酸カルシウムの配合量が０．００２％〜０．０４％の範囲内であると良い。更に前記３−メチル−３−メトキシ−１−ブタノール（ＭＭＢ）の配合量が３%以上であると良い。【選択図】なし【特許請求の範囲】
【請求項１】
ジェランガムからなるゲル化剤と、カルシウムからなる架橋剤と、３−メチル−３−メトキシ−１−ブタノール（ＭＭＢ）と、を添加したゲル状芳香剤組成物。
【請求項２】
前記ジェランガムの配合量が０．２％〜２．０％の範囲内であることを特徴とする請求項１記載のゲル状芳香剤組成物。
【請求項３】
前記カルシウムが乳酸カルシウムからなり、前記乳酸カルシウムの配合量が０．００２％〜０．０４％の範囲内であることを特徴とする請求項１または２の何れか１項記載のゲル状芳香剤組成物。
【請求項４】
前記３−メチル−３−メトキシ−１−ブタノール（ＭＭＢ）の配合量が３%以上であることを特徴とする請求項１〜３の何れか１項記載のゲル状芳香剤組成物。
【発明の詳細な説明】
【技術分野】
【０００１】
本発明は、自動車用芳香剤に使用される、耐熱性を有し、透明性の高いゲル状組成物に関する。
【背景技術】
【０００２】
自動車用に使用される芳香剤には、液体、ゲル状、固形等様々な形態がある。中でもゲル状組成物を充填したものは、こぼれにくいため人気が高く、また、芳香剤のデザインから透き通る水のような透明感を求められることが多い。
【０００３】
上記のようなゲル状組成物を充填した芳香剤を製品化するために、ゲル化剤の中でも比較的透明性に優れるジェランガムを用いた各種提案がなされている。例えば、特開平０１-０７４２３９号公報には、揮散性物質およびジェランガム並びに揮散性物質を可溶化出来る界面活性剤を含有スル透明ゲル状組成物が開示されている。また、特開２００７-０２９１７５号公報にはポリオキシエチレンアルキルエーテル硫酸エステルの２価金属塩、ＨＬＢが１０〜１６の非イオン性界面活性剤、ジェランガムおよび香料からなることを特徴とする透明乃至半透明ゲル状芳香剤組成物が開示されている。また、特開２００５-２８７５７０号公報には、特定の蓄光顔料とアミンオキシド型両性界面活性剤とを配合することにより、水系において、長期にわたり蛍光発光作用及び芳香消臭作用を有し、且つ、安定性並びに芳香消臭作用に優れた水性蛍光芳香消臭剤組成物が開示されている。
【０００４】
また、一般的に芳香剤に使用可能なゲル化剤として、カラギーナン、寒天、ゼラチン等が挙げられるが、これらのゲル化剤は、透明性は十分であるが耐熱性が十分ではないため、これらのゲル化剤を自動車用の芳香剤として使用する場合、夏場の炎天下に駐車した自動車の雰囲気温度は９０℃を超える場合もあるため、ゲルが溶解してしまう欠点があった。  
【０００５】
上記欠点を解消し耐熱性を高めるために、ジェランガムからなるゲル化剤をカルシウムで架橋したものが用いられることもあるが、耐熱性は十分であるが、透明性が低い欠点があった。
【０００６】
上記、ジェランガムからなるゲル化剤をカルシウムで架橋したものの透明度が低い原因は、ジェランガム、カルシウムの添加量に起因し、耐熱性を持たせようとすると添加量が増えて濁りが発生してしまう。そのため、透明性を維持するためにジェランガム、カルシウムの添加量を濁らない範囲に留めると、耐熱性が不十分になってしまう欠点があった。したがって、従来技術のゲル状組成物を充填した自動車用芳香剤はゲルの透明性および耐熱性を両立させるという点において十分満足出来るものがなかった。
【先行技術文献】
【特許文献】
【０００７】
【特許文献１】特開平０１-０７４２３９号公報
【特許文献２】特開２００７-０２９１７５号公報
【特許文献３】特開２００５-２８７５７０号公報
【発明の概要】
【発明が解決しようとする課題】
【０００８】
本発明のゲル状芳香剤組成物は、自動車用芳香剤として使用可能な耐熱性を有し、透明性の高いゲル状組成物を提供することを課題とする。
【課題を解決するための手段】
【０００９】
本発明のゲル状芳香剤組成物は、ジェランガムからなるゲル化剤と、カルシウムからなる架橋剤と、３−メチル−３−メトキシ−１−ブタノール（ＭＭＢ）と、が添加される。
【００１０】
更に、前記ジェランガムの配合量が０．２%〜２．０%の範囲内であると良い。
【００１１】
更に、前記カルシウムが乳酸カルシウムからなり、前記乳酸カルシウムの配合量が０．００２％〜０．０４％の範囲内であると良い。
【００１２】
更に、前記３−メチル−３−メトキシ−１−ブタノール（ＭＭＢ）の配合量が３％以上であると良い。
【発明の効果】
【００１３】
本発明のゲル状芳香剤組成物は、ジェランガム、乳酸カルシウムと共に3-メチル-3-メトキシ-1-ブタノール（ＭＭＢ）を添加することによって、透明度が高く、耐熱性を有するゲル状組成物を実現することができる。
【発明を実施するための形態】
【００１４】
以下、本発明の実施例を説明する。
【実施例１】
【００１５】
本発明のゲル状芳香剤組成物は、ジェランガム、カルシウム（乳酸カルシウム）と共に３−メチル−３−メトキシ−１−ブタノール（ＭＭＢ）を添加したゲル化剤、架橋剤、溶剤、香料、界面活性剤および水を含有するゲル状組成物からなり、ゲル状芳香剤組成物の中のゲル化剤であるジェランガムの配合量は０．２％〜２．０％、好ましくは０．４％〜０．８％とすると良い。
【００１６】
尚、ジェランガムの配合量が０．２％より少ない場合は耐熱性が十分ではなくなり、加熱した場合溶解してしまい、２．０％より多い場合は透明度が落ちて、濁りが出てしまう。
【００１７】
本発明に用いる架橋剤はカルシウムであり、塩化カルシウム、乳酸カルシウムなどが使用できる。乳酸カルシウムの配合量は０．００２％〜０．０４％、好ましくは０．００６％〜０．０２％とすると良い。
【００１８】
尚、０．００２％より少ない場合は耐熱性が十分でなくなり、加熱した場合溶解してしまう。０．０４％より多い場合は透明度が落ちて、濁りが出てしまう。
【００１９】
さらに、本発明に用いる３−メチル−３−メトキシ−１−ブタノール（ＭＭＢ）の配合量は３％以上、好ましくは５％〜１０％とすると良い。
【００２０】
尚、３%より少ない場合は耐熱性が十分でなくなり、加熱した場合溶解してしまう。また、多く入れても透明度には影響はないが、10％以上添加しても耐熱性に効果がなくコストがかかるだけで無駄が多くなってしまう。
【００２１】
なお、本発明のゲル状芳香剤組成物に用いられる機能性薬剤として、香料、消臭剤、除菌剤、防虫剤、殺虫剤、忌避剤等を付加することが出来る。
【００２２】
上記香料としては、例えば、麝香、霊猫香、海狸香、竜涎香等の動物性香料、アビエス油、アクジョン油、アルモンド油、アンゲリカルート油、ページル油、ベルガモット油、パーチ油、ボアバローズ油、カヤブチ油、カナンガ油、カプシカム油、キャラウェー油、カルダモン油、カシア油、セロリー油、シナモン油、シトロネラ油、コニャック油、コリアンダー油、クミン油、樟脳油、ジル油、エストラゴン油、ユーカリ油、フェンネル油、ガーリック油、ジンジャー油、グレープフルーツ油、ホップ油、レモン油、レモングラス油、ナツメグ油、マンダリン油、ハッカ油、オレンジ油、セージ油、スターアニス油、テレピン油等の植物性香料を上げることが出来る。この香料として、合成香料又は抽出香料等の人工香料を用いることも出来、例えば、ピネン、リモネン等の炭化水素系香料、リナロール、ゲラニオール、シトロネロール、メントール、ボルネオール、ベンジルアルコール、アニスアルコール、βフェネチルアルコール等のアルコール系香料、アネトール、オイゲノール等のフェノール系香料、ｎ−ブチルアルデヒド、イソブチルアルデヒド、ヘキシルアルデヒド、シトラール、シトロネラール、ベンズアルデヒド、シンナミックアルデヒド等のアルデヒド系香料、カルボン、メントン、樟脳、アセトフェノン、イオノン等のケトン系香料、γ−ブチルラクトン、クマリン、シオネオール等のラクトン系香料、オクチルアセテート、ベンジルアセテート、シンナミルアセテート、プロピオン酸ブチル、安息香酸メチル等のエステル系香料が挙げられる。さらに、上記香料の２種類以上を混合した調合香料も使用することが出来る。
【００２３】
上記消臭剤としては、硫酸アルミニウム、塩化アンモニウム、ミョウバン、硫酸銅、硫化亜鉛等の無機酸の金属塩や、ステアリン酸亜鉛やステアリン酸アルミニウム等の有機酸の金属塩、酸化チタンや酸化亜鉛等の金属酸化物、フラボノイド化合物や、カテキン、ポリフェノール等の植物抽出物またはその誘導体、シクロデキストリンまたはその誘導体、亜塩素酸塩等の安定化二酸化塩素、ゼオライト、活性炭等を挙げることが出来る。
【００２４】
上記防虫剤、殺虫剤としては、エンペントリン、トランスフルスリン、アレスリン、フェノトリン、メトフルトリン、プロフルトリン等のピレスロイド系防虫剤、パラジクロロベンゼン、ナフタリン、樟脳、２−フェノキシエタノール等が例示でき、これらの１種類または２種類以上を混合して用いることが出来る。
【００２５】
なお、本発明のゲル状芳香剤組成物に用いられる機能性薬剤の配合量は、特に限定されることは無いが、組成物中に０．０１％〜３０％、好ましくは０．１％〜１０％であり、更に好ましくは１％〜１０％である。これより少ないと十分な効果が得られない場合があり、これより多いと着色したり、透明性が落ちて濁りが出たり、耐熱性が落ちゲルが溶解したり、製造時にゲルを形成しなくなる場合がある。
【００２６】
また、上記機能性薬剤は、水溶性、油溶性、いずれであっても良いが、油溶性の薬剤を用いる場合は、界面活性剤を用いることが好ましい。この界面活性剤は特に限定はなく、従来公知のアニオン系界面活性剤、カチオン系界面活性剤、ノニオン系界面活性剤または両性界面活性剤のいずれも用いることが出来、これらの１種類または２種類以上を組み合わせて上記揮散性薬剤を透明に溶解することが出来る。
【００２７】
界面活性剤のうち、アニオン系界面活性剤としては、例えば高級脂肪酸石けん、石けん用素地、金属石けん、Ｎ−アシル−Ｌ−グルタミン酸トリエタノールアミン、Ｎ−アシル−Ｌ−グルタミン酸ナトリウム、アルキル硫酸ナトリウム、アルキルスルホン酸ナトリウム、ジアルキルスルホコハク酸ナトリウム、ポリオキシエチレンアルキルエーテル硫酸ナトリウム、ポリオキシエチレンアルキルエーテルリン酸、ポリオキシエチレンアルキルフェニルエーテルリン酸、ヤシ油脂肪酸メチルタウリンナトリウム（Ｎ−ココイル−Ｎ−メチルタウリンナトリウム）、ラウリル硫酸トリエタノールアミン、ラウリル硫酸ナトリウム、ラウロイルサルコシンナトリウム、ラウロイルメチルβ−アラニンナトリウム液、ラウロイルメチルタウリンナトリウム等の１種もしくは２種以上を組み合わせて用いることが出来る。
【００２８】
また、カチオン系界面活性剤としては、エチル硫酸ラノリン脂肪酸アミノプロピルエチルジメチルアンモニウム、演歌アルキルトリメチルアンモニウム、塩化ジアルキルジメチルアンモニウム、塩化ジステアリルジメチルアンモニウム、塩化ベンザルコニウム、塩化ベンゼトニウム等の１種もしくは２種以上を組み合わせて用いることが出来る。
【００２９】
さらにノニオン系界面活性剤としては、ポリオキシエチレンアルキルエーテル、ポリオキシエチレンアルキルフェニルエーテル、ポリオキシエチレン硬化ヒマシ油エーテル、ポリオキシエチレンソルビタンエステル、脂肪酸アルカノールアミド、第３級アミンオキサイド等の１種もしくは２種以上を組み合わせて用いることが出来る。
【００３０】
さらにまた、両性界面活性剤としては、２−アルキル−N−カルボキシメチル−N−ヒドロキシエチルイミダゾリニウムベタイン、塩酸アルキルジアミノエチルグリシン液、ラウリルジメチルアミノ酢酸ベタイン等の１種もしくは２種以上を組み合わせて用いることが出来る。
【００３１】
上記の界面活性剤のうち、可溶化能が高く、ゲル強度の低下が少なく、離水の発生も少ない点でノニオン系界面活性剤を用いることが好ましい。
【００３２】
本発明のゲル状芳香剤組成物の中の上記界面活性剤の配合量は、特に限定はなく、配合される油性成分の種類、量により適宜選択することが出来るが、組成物中の０．０１%〜３０%、好ましくは０．１%〜２０%であり、更に好ましくは１%〜１５%である。これより少ないと油性成分を可溶化出来ず、ゲルの安定性に悪影響を与え、透明度が落ち、濁りが出る場合がある。また、これより多いとゲルを形成しなくなる場合がある。
【００３３】
本発明のゲル状芳香剤組成物は、本発明の効果を損なわない範囲内において、機能性薬剤の溶解助剤として、エタノール、イソプロピルアルコール、n−プロピルアルコール等のアルコール系溶剤、プロピレングリコール、エチレングリコール等のグリコール系溶剤、エチレングリコールモノメチルエーテル、プロピレングリコールモノメチルエーテル、プロピレングリコールモノメチルエーテル等のグリコール系溶剤等を使用することが出来る。
また、本発明の効果を損なわない範囲内において、カラギーナン、寒天などのゲル化剤、ローカストビーンガム、キサンタンガム等の増粘剤、キレート剤、防腐剤、防カビ剤、酸化防止剤、紫外線吸収剤、色素等を配合することも可能である。
【００３４】
本発明のゲル状芳香剤組成物の製造方法としては、特に限定はなく、一般的なゲルの方法で良い。例えば、ジェランガムを水に分散させ、約９０℃以上に加熱撹拌し完全に溶解させ、架橋剤を添加し、約７０℃前後で揮散性薬剤、香料、界面活性剤、およびその他の配合成分を加え溶解させたあと、５０℃〜６０℃に冷却し、容器に充填して、さらに冷却してゲル化させる方法により製造することが出来る。
【００３５】
このような製造方法で作成したゲル状芳香剤組成物は、芳香剤、消臭剤、防虫剤等として、部屋、トイレ、押入れ、下駄箱、タンス、クローゼット、衣装ケース、車内等に設置し、空間に薬効を付与することが可能である。
【００３６】
以下、実施例を挙げて、本発明の詳細を説明するが、本発明はこれら実施例に何ら限定されるものではない。
評価基準
透明度：
○  極めて透明性が高い
△  わずかに濁りあり
×  明らかに濁りあり
耐熱性：
○  ９５℃でゲルの溶解が無い
×  ９５℃でゲルの溶解がある
【００３７】
【表１】
2018000680.tif 000002
【００３８】
上記の表のように、本発明によるゲル状芳香剤組成物は、透明度と耐熱性を兼ね備えた優れた性能を提供出来るものである。